(57)【要約】【課題】組み付け時の作業性に優れるとともに、隣り合う部屋の間で床下空間を通じて音が伝わるのを効果的に防ぐことができる床下遮音材を提供することを課題とする。【解決手段】二重床構造１の床下空間３０に配置される床下遮音材５０であって、横方向に屈曲可能な遮音体５１と、遮音体５１の下縁部と床スラブ１０の上面１０ａとの間に介設される下側弾性部材６０と、遮音体５１の上縁部と床材２０の下面２０ｂとの間に介設される上側弾性部材７０と、を備えている。【選択図】図３
2014037674.tif 000002
【特許請求の範囲】
【請求項１】
二重床構造の床下空間に配置される床下遮音材であって、
横方向に屈曲可能な遮音体と、
前記遮音体の下縁部と床スラブの上面との間に介設される下側弾性部材と、
前記遮音体の上縁部と床材の下面との間に介設される上側弾性部材と、を備えていることを特徴とする床下遮音材。
【請求項２】
前記遮音体は、上板と下板とに分割されており、
前記上板と前記下板とは、横方向に屈曲可能な中間連結部材によって連結されていることを特徴とする請求項１に記載の床下遮音材。
【請求項３】
前記上側弾性部材と前記下側弾性部材との間には、横方向に並設された二つの前記遮音体が設けられており、
前記両遮音体は相反する方向に屈曲可能であることを特徴とする請求項１または請求項２に記載の床下遮音材。
【請求項４】
床スラブと、
前記床スラブの上方に配置された床材と、
前記床スラブと前記床材との間に形成された床下空間に配置された床下遮音材と、を備える二重床構造であって、
前記床下遮音材は、
横方向に屈曲可能な遮音体と、
前記遮音体の下縁部と前記床スラブの上面との間に介設された下側弾性部材と、
前記遮音体の上縁部と前記床材の下面との間に介設された上側弾性部材と、を備え、
前記床下遮音材は、前記床材の上面に設けられた間仕切り壁の下方に配置されていることを特徴とする二重床構造。
【請求項５】
横方向に屈曲可能な遮音体と、前記遮音体の下縁部に設けられた下側弾性部材と、前記遮音体の上縁部に設けられた上側弾性部材と、からなる床下遮音材を用意する段階と、
床スラブの上面に前記下側弾性部材を載置し、前記床スラブの上面に前記床下遮音材を立設する段階と、
前記床スラブの上方に床材を配置し、前記上側弾性部材に前記床材の下面を押し付ける段階と、
前記床材の上面に間仕切り壁を立設する段階と、
を備えていることを特徴とする二重床構造の構築方法。
【発明の詳細な説明】
【技術分野】
【０００１】
本発明は、床下遮音材、二重床構造および二重床構造の構築方法に関する。
【背景技術】
【０００２】
床先行工法による二重床構造１００としては、図５に示すように、床スラブ１０と、床材２０と、床材２０を支持する支持脚４０と、支持脚４０に固着された床下遮音材１５０と、を備えているものがある（例えば、特許文献１参照）。
このような二重床構造１００では、床下遮音材１５０によって床下空間３０が横に仕切られることで、隣り合う部屋３，４の間で床下空間３０を通じて音が伝わらないように構成されている。
【先行技術文献】
【特許文献】
【０００３】
【特許文献１】実用新案登録第３１３６２５７号公報
【発明の概要】
【発明が解決しようとする課題】
【０００４】
前記した従来の二重床構造１００では、図５に示すように、床材２０の側縁部から支持脚４０が大きく離れていると、支持脚４０に床下遮音材１５０を釘などによって固着する作業が難しいという問題がある。
【０００５】
また、従来の二重床構造１００では、支持脚４０の位置によって床下遮音材１５０の位置が定まることになる。したがって、支持脚４０が間仕切り壁２よりも部屋４側に配置されている場合には、隣り合う部屋３，４の間の遮音効果が低下するという問題がある。
【０００６】
また、従来の二重床構造１００では、床下遮音材１５０の高さを床下空間３０の高さに合わせるのが難しいという問題がある。
【０００７】
また、従来の二重床構造１００では、床下遮音材１５０によって床スラブ１０上の配管の周囲を塞ぐことが難しいため、遮音効果が低下するという問題がある。
【０００８】
本発明は、前記した問題を解決し、組み付け時の作業性に優れるとともに、隣り合う部屋の間で床下空間を通じて音が伝わるのを効果的に防ぐことができる床下遮音材、二重床構造および二重床構造の構築方法を提供することを課題とする。
【課題を解決するための手段】
【０００９】
前記課題を解決するため、本発明は、二重床構造の床下空間に配置される床下遮音材であって、横方向に屈曲可能な遮音体と、前記遮音体の下縁部と床スラブの上面との間に介設される下側弾性部材と、前記遮音体の上縁部と床材の下面との間に介設される上側弾性部材と、を備えている。
【００１０】
また、本発明は、床スラブと、前記床スラブの上方に配置された床材と、前記床スラブと前記床材との間に形成された床下空間に配置された床下遮音材と、を備える二重床構造であって、前記床下遮音材は、横方向に屈曲可能な遮音体と、前記遮音体の下縁部と前記床スラブの上面との間に介設された下側弾性部材と、前記遮音体の上縁部と前記床材の下面との間に介設された上側弾性部材と、を備え、前記床下遮音材は、前記床材の上面に設けられた間仕切り壁の下方に配置されている。
【００１１】
また、本発明は、二重床構造の構築方法であって、横方向に屈曲可能な遮音体と、前記遮音体の下縁部に設けられた下側弾性部材と、前記遮音体の上縁部に設けられた上側弾性部材と、からなる床下遮音材を用意する段階と、床スラブの上面に前記下側弾性部材を載置し、前記床スラブの上面に前記床下遮音材を立設する段階と、前記床スラブの上方に床材を配置し、前記上側弾性部材に前記床材の下面を押し付ける段階と、前記床材の上面に間仕切り壁を立設する段階と、を備えている。
【００１２】
本発明では、床材の支持脚から独立して床下遮音材を配置することができる。また、遮音体が横方向に屈曲するため、床下空間の高さに合わせて、床下遮音材の高さが調整される。したがって、本発明では、床下空間に床下遮音材を組み付けるときの作業性に優れるとともに、床下遮音材の取り付け位置の自由度を高めることができる。
これにより、間仕切り壁の直下に床下遮音材を配置し易くなるため、隣り合う部屋の間で床下空間を通じて音が伝わるのを効果的に防ぐことができる。
また、本発明では、床スラブ上の配管を下側弾性部材によって覆うことができるため、間仕切り壁の下方を配管が横切っている場合でも、床下空間の遮音効果を高めることができる。
【００１３】
前記した床下遮音材において、前記遮音体を上板と下板とに分割し、前記上板と前記下板とを横方向に屈曲可能な中間連結部材によって連結した場合には、簡単な構造で遮音性と高さ調整機能とを有することができる。
【００１４】
前記した床下遮音材において、前記上側弾性部材と前記下側弾性部材との間に、横方向に並設された二つの前記遮音体を設け、前記両遮音体が相反する方向に屈曲可能である場合には、床下遮音材がパンタグラフ状の形態となるため、床下遮音材の安定性を高めることができる。
【発明の効果】
【００１５】
本発明の床下遮音材、二重床構造および二重床構造の構築方法では、組み付け時の作業性に優れるとともに、隣り合う部屋の間で床下空間を通じて音が伝わるのを効果的に防ぐことができる。このように、床先行工法による二重床構造において、床下空間における遮音効果を高めることができる。
【図面の簡単な説明】
【００１６】
【図１】本実施形態の床下遮音材を示した斜視図である。
【図２】本実施形態の床下遮音材を示した図で、（ａ）は遮音体が屈曲していない状態の正面図、（ｂ）は遮音体が屈曲している状態の正面図である。
【図３】本実施形態の二重床構造を示した断面図である。
【図４】本実施形態の二重床構造を示した図で、図３の矢印Ａ方向から断面図である。
【図５】従来の二重床構造を示した断面図である。
【発明を実施するための形態】
【００１７】
本発明の実施形態について、適宜図面を参照しながら詳細に説明する。
本実施形態の二重床構造１は、図３に示すように、床スラブ１０と、床材２０と、床スラブ１０と床材２０との間に形成された床下空間３０に配置された支持脚４０および床下遮音材５０と、を備えている。
床材２０は、パーチクルボード２２などの下地材に床仕上げ材２１を積層したものである。床材２０の上面２０ａには間仕切り壁２が立設されている。
【００１８】
本実施形態の二重床構造１は、床材２０を構築した後に、床材２０の上面２０ａに間仕切り壁２を立設することで、一方の部屋３（図３の左側）と他方の部屋４（図３の右側）とを形成する床先行工法によって構築されるものである。
【００１９】
支持脚４０は、床スラブ１０の上面１０ａに立設された束材であり、床材２０を所定の高さに支持するものである。本実施形態では、支持脚４０が間仕切り壁２よりも他方の部屋３側に配置されているが、その位置や数は限定されるものではなく、支持脚４０に作用する荷重や配管の位置等を考慮して定められる。
なお、図４に示すように、床スラブ１０の上面１０ａには、各種の配管２３が延設されている。
【００２０】
床下遮音材５０は、図３に示すように、横方向（図３の左右方向）に屈曲可能な二つの遮音体５１と、遮音体５１の下縁部と床スラブ１０の上面１０ａとの間に介設される下側弾性部材６０と、遮音体５１の上縁部と床材２０の下面２０ｂとの間に介設される上側弾性部材７０と、を備えている。
床下遮音材５０は、間仕切り壁２の直下に配置され、間仕切り壁２に沿って床下空間３０に延設される部材である。
【００２１】
床下遮音材５０では、二つの遮音体５１が左右に並設されている。なお、二つの遮音体５１は、左右対称の構成であるため、図３において左側の遮音体５１について詳細に説明し、右側の遮音体５１については説明を省略する。
【００２２】
遮音体５１は、図１に示すように、上板５２と下板５３とに分割されており、上板５２の下縁部と、下板５３の上縁部とが、横方向に屈曲自在な中間連結部材５４を介して連結されている。
上板５２および下板５３は、木板または石膏ボードなどの板状部材であり（図１参照）、両平面が左右方向に向けられている。
【００２３】
中間連結部材５４は、可撓性を有する樹脂製の板状部材である。中間連結部材５４には、図２（ａ）に示すように、上板５２と下板５３との間に挿入される溝形部５４ａと、溝形部５４ａの上縁部から上側に突出し、上板５２の内面に貼り付けられる上側フランジ部５４ｂと、溝形部５４ａの下縁部から下側に突出し、下板５３の内面に貼り付けられる下側フランジ部５４ｃと、が形成されている。
中間連結部材５４では、上側フランジ部５４ｂおよび下側フランジ部５４ｃに対して上下方向から押圧力が作用したときに、溝形部５４ａの上下方向の開口幅が狭まるように変形する。
左右の遮音体５１に設けられた中間連結部材５４は、溝形部５４ａの開口同士が対向するように配置される。
【００２４】
下側弾性部材６０は、図３に示すように、下板５３の下縁部と床スラブ１０の上面１０ａとの間に介設される矩形断面のゴム製の部材（スポンジゴム）である。
下側弾性部材６０は、図４に示すように、床スラブ１０上の配管２３と交差する部位においては、配管２３の外形に倣って変形する。なお、配管が下側弾性部材６０の高さよりも大きい場合には、下側弾性部材６０の一部に高さが大きい部位を設け、この部位に形成した開口部に配管を挿通させることができる。
【００２５】
下側弾性部材６０の上面には、板状の下縁部連結部材５５が長手方向に沿って貼り付けられている（図１参照）。
下縁部連結部材５５は、図２（ｂ）に示すように、可撓性を有する樹脂製の部材であり、左右の縁部が上下方向に向けて屈曲自在となっている。
左右の下板５３の下縁部は、下縁部連結部材５５の左右の縁部の上面にそれぞれ取り付けられている。このように、左右の遮音体５１の下縁部同士は、下縁部連結部材５５によって連結された状態で、下側弾性部材６０の上面に取り付けられている。
【００２６】
上側弾性部材７０は、図３に示すように、上板５２の上縁部と床材２０の下面２０ｂとの間に介設される矩形断面のゴム製の部材（スポンジゴム）である。上側弾性部材７０の高さは、下側弾性部材６０の高さよりも小さく形成されている。
【００２７】
上側弾性部材７０の下面には、板状の上縁部連結部材５６が長手方向に沿って貼り付けられている（図１参照）。
上縁部連結部材５６は、図２（ｂ）に示すように、可撓性を有する樹脂製の部材であり、左右の縁部が上下方向に向けて屈曲自在となっている。
左右の上板５２の上縁部は、上縁部連結部材５６の左右の縁部の下面にそれぞれ取り付けられている。このように、左右の遮音体５１の上縁部同士は、上縁部連結部材５６によって連結された状態で、上側弾性部材７０の下面に取り付けられている。
【００２８】
本実施形態の床下遮音材５０において、図２（ａ）に示すように、下側弾性部材６０の下面から上側弾性部材７０の上面までの高さＬ１は、図２（ｂ）に示す床スラブ１０の上面１０ａから床材２０の下面２０ｂまでの高さＬ２（床下空間３０の高さ）よりも大きくなっている。
【００２９】
したがって、図２（ｂ）に示すように、床下遮音材５０を床下空間３０に配置するときには、床材２０によって床下遮音材５０が下方に押し付けられる。
床下遮音材５０に上方から押圧力が作用すると、遮音体５１の高さ方向の中間部において、遮音体５１が横方向に屈曲し、遮音体５１の高さが小さくなる。
すなわち、床下遮音材５０に上方から押圧力が作用すると、上板５２および下板５３よりも剛性が小さい中間連結部材５４の溝形部５４ａが変形し、溝形部５４ａの変形に伴って、上板５２および下板５３が鉛直面に対して傾斜する。
【００３０】
これにより、左右の上板５２は、下縁部同士の離隔距離が増大する方向に傾斜し、左右の下板５３は、上縁部同士の離隔距離が増大する方向に傾斜する。
また、左右の上板５２が傾斜すると、上縁部連結部材５６は下に凸となるように湾曲し、左右の下板５３が傾斜すると、下縁部連結部材５５は上に凸となるように湾曲する。
このように、床下遮音材５０に上方から押圧力が作用すると、左右の遮音体５１がパンタグラフ状に変形し、高さ方向の中間部の離隔距離が増大することで、床下遮音材５０の高さが小さくなる。
【００３１】
次に、床下遮音材５０を用いた二重床構造１の構築方法について説明する。
まず、図１に示すように、横方向に屈曲可能な遮音体５１と、遮音体５１の下縁部に設けられた下側弾性部材６０と、遮音体５１の上縁部に設けられた上側弾性部材７０と、からなる床下遮音材５０を用意する。
【００３２】
図３に示すように、床スラブ１０を構築し、床スラブ１０の上面１０ａにおいて、後工程で施工する間仕切り壁２の直下となる位置に、下側弾性部材６０を載置し、床スラブ１０の上面１０ａに床下遮音材５０を立設する。
図４に示すように、床スラブ１０上の配管２３と交差する部位においては、下側弾性部材６０が配管２３の外形に倣って変形し、配管２３が下側弾性部材６０に覆われる。
【００３３】
図３に示すように、床スラブ１０の上面１０ａに複数の支持脚４０を立設し、各支持脚４０の上端部に床材２０を配置する。これにより、床スラブ１０と床材２０との間に床下空間３０が形成される。
また、床材２０によって床下遮音材５０が下方に押し付けられ、床下遮音材５０に上方から押圧力が作用すると、遮音体５１の高さ方向の中間部において、遮音体５１が横方向に屈曲し、遮音体５１の高さが小さくなる。このように、床下遮音材５０の高さが床下空間３０の高さに合わせて調整される。
【００３４】
床材２０の上面２０ａに間仕切り壁２を立設し、一方の部屋３と他方の部屋４とを仕切る。床下遮音材５０は、間仕切り壁２の直下となるように配置されており、床下空間３０には間仕切り壁２に沿って床下遮音材５０が配置される。すなわち、床下遮音材５０によって、床下空間３０が各部屋３，４の境界に合わせて仕切られる。
【００３５】
以上のような床下遮音材５０、二重床構造１および二重床構造１の構築方法では、図３に示すように、床材２０の支持脚４０から独立して床下遮音材５０を配置することができる。また、遮音体５１が横方向に屈曲するため、床下空間３０の高さに合わせて、床下遮音材５０の高さが調整される。したがって、床下空間３０に床下遮音材５０を組み付けるときの作業性に優れるとともに、床下遮音材５０の取り付け位置の自由度を高めることができる。
これにより、間仕切り壁２の直下に床下遮音材５０を配置し易くなるため、隣り合う部屋３，４の間で床下空間３０を通じて音が伝わるのを効果的に防ぐことができる。したがって、床先行工法による二重床構造１において、床下空間３０における遮音効果を高めることができる。
【００３６】
また、図４に示すように、床スラブ１０上の配管２３，２４を下側弾性部材６０によって覆うことができるため、間仕切り壁２の下方を配管２３が横切っている場合でも、床下空間３０の遮音効果を高めることができる。
【００３７】
また、図３に示すように、上板５２と下板５３とが、横方向に屈曲可能な中間連結部材５４によって連結されているため、簡単な構造で遮音性と高さ調整機能とを有することができる。
さらに、横方向に並設された左右二つの遮音体５１が相反する方向に屈曲し、床下遮音材５０がパンタグラフ状の形態となるため、床下遮音材５０の安定性を高めることができる。
【００３８】
以上、本発明の実施形態について説明したが、本発明は前記実施形態に限定されることなく、その趣旨を逸脱しない範囲で適宜に変更が可能である。
本実施形態の床下遮音材５０では、図１に示すように、二つの遮音体５１が並設されているが、下側弾性部材６０と上側弾性部材７０との間に一つの遮音体を設けてもよい。
【００３９】
また、本実施形態では、二つの板材（上板５２および下板５３）を上下に連結して遮音体５１が形成されているが、その数は限定されるものではない。また、遮音体５１に複数の屈曲箇所を設け、遮音体５１を蛇腹状に構成してもよい。また、遮音体５１を一つの部材で構成し、遮音体５１自体を屈曲させてもよい。
【００４０】
また、下側弾性部材６０および上側弾性部材７０の材料は限定されるものではなく、例えば、ロックウールや発泡ウレタンを用いてもよい。
【符号の説明】
【００４１】
１      二重床構造
２      間仕切り壁
３      一方の部屋
４      他方の部屋
１０    床スラブ
２０    床材
２１    仕上げ材
２２    下地材
２３    配管
３０    床下空間
４０    支持脚
５０    床下遮音材
５１    遮音体
５２    上板
５３    下板
５４    中間連結部材
５５    下縁部連結部材
５６    上縁部連結部材
６０    下側弾性部材
７０    上側弾性部材
【図１】
2014037674.tif 000003
【図２】
2014037674.tif 000004
【図３】
2014037674.tif 000005
【図４】
2014037674.tif 000006
【図５】
2014037674.tif 000007